(57)【要約】【課題】操縦安定性を維持するとともに、タイヤ重量を低減して転がり抵抗を改善する。【解決手段】トレッド部２から両タイヤ幅方向端部を各ビード部５に延在させたカーカス層６を備え、当該カーカス層６のカーカスコードを、タイヤ赤道面ＣＬからタイヤ幅方向両外側に、トレッド展開幅ＴＤＷの１／２の９５［％］以上１２０［％］以下の範囲において、タイヤ周方向に対して実質的に０［°］の縦材と、タイヤ周方向に対して実質的に９０［°］の横材と、タイヤ周方向に対して２０［°］以上３０［°］以下であって互いに交差する２つの斜材とが織られた４軸織物で構成し、かつ範囲のタイヤ幅方向両外側を横材で構成する。【選択図】図１
2013212824.tif 000002
【特許請求の範囲】
【請求項１】
トレッド部から両タイヤ幅方向端部を各ビード部に延在させたカーカス層を備え、タイヤ赤道面からタイヤ幅方向両外側に、トレッド展開幅の１／２の９５［％］以上１２０［％］以下の範囲において、前記カーカス層のカーカスコードを、タイヤ周方向に対して実質的に０［°］の縦材と、タイヤ周方向に対して実質的に９０［°］の横材と、タイヤ周方向に対して２０［°］以上３０［°］以下であって互いに交差する２つの斜材とが織られた４軸織物で構成し、かつ前記範囲のタイヤ幅方向両外側を前記横材で構成することを特徴とする空気入りタイヤ。
【請求項２】
前記斜材を、弾性率１００［ＧＰａ］以上の繊維で形成することを特徴とする請求項１に記載の空気入りタイヤ。
【請求項３】
前記縦材を、弾性率１［ＧＰａ］以上２０［ＧＰａ］以下の繊維で形成することを特徴とする請求項１または２に記載の空気入りタイヤ。
【請求項４】
前記縦材を、芳香族ポリアミド繊維または脂肪族ポリアミド繊維で形成し、前記横材を、ポリエステル繊維で形成し、各前記斜材を、ポリパラフェニレンベンゾオキサゾール繊維、ポリケトン繊維、セルロール繊維または炭素繊維で形成することを特徴とする請求項１〜３のいずれか一つに記載の空気入りタイヤ。
【発明の詳細な説明】
【技術分野】
【０００１】
本発明は、空気入りタイヤに関し、特に、カーカス層の工夫により操縦安定性を維持するとともに、タイヤ重量を低減して転がり抵抗を改善した空気入りタイヤに関するものである。
【背景技術】
【０００２】
一般に、空気入りタイヤは、タイヤ周方向に実質的に９０［°］に配置したコードが、タイヤ周方向に沿って並設されたカーカス層と、トレッド部におけるカーカス層のタイヤ径方向外側に、タイヤ周方向に対して斜めに配置したコードが、タイヤ周方向に沿って並設された少なくとも２つのベルトを、互いのコードを交差させて設けられたベルト層とを備える。カーカス層は、上記コード配置により、タイヤ周方向には剛性をほとんど有していない。そのため、タイヤ周方向の剛性は、上記コード配置によるベルト層により補っている。その半面、ベルト層は、スチールコードが用いられる場合もあり、タイヤ重量に大きく起因している。
【０００３】
近年では、タイヤの転がり抵抗を低減して低燃費性を向上させることが望まれており、タイヤ重量を低減することが求められている。しかし、タイヤ重量を低減するために、上述のベルト層のコードの使用量を減らすことは、タイヤ周方向の剛性が低下し、タイヤの操縦安定性が低下することになる。
【０００４】
従来、特許文献１に記載の空気入りタイヤは、上記課題に対し、カーカス層に３軸織物を適用している。この空気入りタイヤでは、カーカス層が、タイヤ周方向にも剛性を獲得し、操縦安定性を低下させることなく、ベルト層の使用量を減らしタイヤ重量を低減して転がり抵抗の改善を図っている。
【０００５】
また、従来、特許文献２に記載の空気入りタイヤは、タイヤの少なくとも一部を、３軸以上の多軸織物により構成している。この空気入りタイヤでは、具体的に、カーカス層、ベルト層、およびベルト補強層を有するタイヤで、多軸織物をカーカスに用いることを望ましいとし、これにより旋回安定性の向上を図っている。
【先行技術文献】
【特許文献】
【０００６】
【特許文献１】特開２００７−１１２３８４号公報
【特許文献２】特開２００８−２３０３３４号公報
【発明の概要】
【発明が解決しようとする課題】
【０００７】
上述した特許文献１の空気入りタイヤは、カーカス層全体、すなわちサイドウォール部にも３軸織物を適用することで、サイドウォール部の耐カット性の向上も図っている。しかし、サイドウォール部においてもカーカス層に３軸織物を適用することは、サイドウォール部の剛性が高すぎて操縦安定性を低下させる原因となり、かつタイヤ重量を増加させる原因ともなり、結果として、操縦安定性を維持するとともに、タイヤ重量を低減して転がり抵抗を改善する効果を顕著に得ることは困難である。
【０００８】
また、上述した特許文献２の空気入りタイヤは、多軸織物をカーカス層全体やカーカス層の一部に用いるかは言及されておらず、特許文献１と同様に、サイドウォール部においてもカーカス層に多軸織物を適用すると、サイドウォール部の剛性が高すぎて操縦安定性を低下させる原因となり、かつタイヤ重量を増加させる原因ともなり、結果として、操縦安定性を維持するとともに、タイヤ重量を低減して転がり抵抗を改善する効果を顕著に得ることは困難である。しかも、特許文献２の実施例では、多軸織物を用いたカーカス層に加えて、コード密度が一般的なベルト層もすべて配置していることから、操縦安定性を維持するとともに、タイヤ重量を低減して転がり抵抗を改善することに着目したものではない。
【０００９】
本発明は、上記に鑑みてなされたものであって、カーカス層の工夫により操縦安定性を維持するとともに、タイヤ重量を低減して転がり抵抗を改善することのできる空気入りタイヤを提供することを目的とする。
【課題を解決するための手段】
【００１０】
上述した課題を解決し、目的を達成するために、本発明の空気入りタイヤは、トレッド部から両タイヤ幅方向端部を各ビード部に延在させたカーカス層を備え、タイヤ赤道面からタイヤ幅方向両外側に、トレッド展開幅の１／２の９５［％］以上１２０［％］以下の範囲において、前記カーカス層のカーカスコードを、タイヤ周方向に対して実質的に０［°］の縦材と、タイヤ周方向に対して実質的に９０［°］の横材と、タイヤ周方向に対して２０［°］以上３０［°］以下であって互いに交差する２つの斜材とが織られた４軸織物で構成し、かつ前記範囲のタイヤ幅方向両外側を前記横材で構成することを特徴とする。
【００１１】
この空気入りタイヤによれば、４軸織物で構成した範囲は、ベルト層を配置する範囲であり、当該範囲の剛性を４軸織物により向上するため、ベルト層のコードを少なく、またはベルト層およびベルト層を補強する構成そのものを無くすことが可能になる。この結果、ベルト層による剛性で得られる操縦安定性を維持するとともに、ベルト層が起因するタイヤ重量を低減して転がり抵抗を改善することができる。
【００１２】
また、本発明の空気入りタイヤは、前記斜材を、弾性率１００［ＧＰａ］以上の繊維で形成することを特徴とする。
【００１３】
この空気入りタイヤによれば、斜材を、弾性率１００［ＧＰａ］以上の比較的高弾性率の繊維で形成することで、軽量で剛性の確保が可能になり、剛性の低下を抑えて操縦安定性を維持するとともに、タイヤ重量を低減して転がり抵抗を改善する効果を顕著に得ることができる。
【００１４】
また、本発明の空気入りタイヤは、前記縦材を、弾性率１［ＧＰａ］以上２０［ＧＰａ］以下の繊維で形成することを特徴とする。
【００１５】
この空気入りタイヤによれば、縦材を、弾性率１［ＧＰａ］以上２０［ＧＰａ］以下の繊維で形成することで、カーカス層のタイヤ周方向での剛性を確保しつつカーカス層のタイヤ周方向への変形を許容するため、耐久性および乗り心地性を両立することができる。
【００１６】
また、本発明の空気入りタイヤは、前記縦材を、芳香族ポリアミド繊維または脂肪族ポリアミド繊維で形成し、前記横材を、ポリエステル繊維で形成し、各前記斜材を、ポリパラフェニレンベンゾオキサゾール繊維、ポリケトン繊維、セルロール繊維または炭素繊維で形成することを特徴とする。
【００１７】
この空気入りタイヤによれば、縦材、横材、各斜材を上記繊維で構成することで、タイヤ重量を低減して転がり抵抗を改善する効果をより顕著に得ることができる。
【発明の効果】
【００１８】
本発明に係る空気入りタイヤは、操縦安定性を維持するとともに、タイヤ重量を低減して転がり抵抗を改善することができる。
【図面の簡単な説明】
【００１９】
【図１】図１は、本発明の実施の形態に係る空気入りタイヤの子午断面図である。
【図２】図２は、カーカス層のカーカスコードの拡大平面図である。
【図３】図３は、カーカス層のカーカスコードの展開平面図である。
【図４】図４は、本発明の実施例に係る空気入りタイヤの性能試験の結果を示す図表である。
【発明を実施するための形態】
【００２０】
以下に、本発明の実施の形態を図面に基づいて詳細に説明する。なお、この実施の形態によりこの発明が限定されるものではない。また、この実施の形態の構成要素には、当業者が置換可能かつ容易なもの、あるいは実質的に同一のものが含まれる。また、この実施の形態に記載された複数の変形例は、当業者自明の範囲内にて任意に組み合わせが可能である。
【００２１】
図１は、本実施の形態に係る空気入りタイヤ１の子午断面図である。以下の説明において、タイヤ径方向とは、空気入りタイヤ１の回転軸（図示せず）と直交する方向をいい、タイヤ径方向内側とはタイヤ径方向において回転軸に向かう側、タイヤ径方向外側とはタイヤ径方向において回転軸から離れる側をいう。また、タイヤ周方向とは、前記回転軸を中心軸とする周り方向をいう。また、タイヤ幅方向とは、前記回転軸と平行な方向をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。タイヤ赤道面ＣＬとは、空気入りタイヤ１の回転軸に直交するとともに、空気入りタイヤ１のタイヤ幅の中心を通る平面である。タイヤ幅は、タイヤ幅方向の外側に位置する部分同士のタイヤ幅方向における幅、つまり、タイヤ幅方向においてタイヤ赤道面ＣＬから最も離れている部分間の距離である。タイヤ赤道線とは、タイヤ赤道面ＣＬ上にあって空気入りタイヤ１のタイヤ周方向に沿う線をいう。本実施の形態では、タイヤ赤道線にタイヤ赤道面と同じ符号「ＣＬ」を付す。
【００２２】
本実施の形態の空気入りタイヤ１は、図１に示すようにトレッド部２と、その両側のショルダー部３と、各ショルダー部３から連続するサイドウォール部４およびビード部５とを有している。また、この空気入りタイヤ１は、カーカス層６と、ベルト層７と、ベルト補強層８とを備えている。
【００２３】
トレッド部２は、ゴム材（トレッドゴム）からなり、空気入りタイヤ１のタイヤ径方向の最も外側で露出し、その表面が空気入りタイヤ１の輪郭となる。トレッド部２の外周表面、つまり、走行時に路面と接触する踏面には、トレッド面２１が形成されている。トレッド面２１は、タイヤ周方向に沿って延び、タイヤ赤道線ＣＬと平行なストレート主溝である複数（本実施の形態では４本）の主溝２２が設けられている。そして、トレッド面２１は、これら複数の主溝２２により、タイヤ周方向に沿って延び、タイヤ赤道線ＣＬと平行なリブ状の陸部２３が複数形成されている。また、図には明示しないが、トレッド面２１は、各陸部２３において、主溝２２に交差するラグ溝が設けられている。ラグ溝は、陸部２３がタイヤ周方向で複数に分割するように、両端が主溝２２に連通して設けられていてもよく、または陸部２３がタイヤ周方向で連通するように、先端が陸部２３の途中で終端して設けられていてもよい。また、ラグ溝は、タイヤ幅方向最外側の陸部２３では、タイヤ幅方向外側に開口して形成されている。
【００２４】
ショルダー部３は、トレッド部２におけるタイヤ幅方向両外側の部位である。また、サイドウォール部４は、空気入りタイヤ１におけるタイヤ幅方向の最も外側に露出したものである。また、ビード部５は、ビードコア５１とビードフィラー５２とを有する。ビードコア５１は、スチールワイヤであるビードワイヤをリング状に巻くことにより形成されている。ビードフィラー５２は、カーカス層６のタイヤ幅方向端部がビードコア５１の位置で折り返されることにより形成された空間に配置されるゴム材である。
【００２５】
カーカス層６は、トレッド部２から両タイヤ幅方向端部を各ビード部に延在させ、各タイヤ幅方向端部が、一対のビードコア５１でタイヤ幅方向内側からタイヤ幅方向外側に折り返され、かつタイヤ周方向にトロイド状に掛け回されてタイヤの骨格を構成するものである。このカーカス層６は、後述するカーカスコード６１が、コートゴムで被覆されたものである。このカーカス層６は、少なくとも１層で設けられている。
【００２６】
ベルト層７は、少なくとも２層のベルト７１，７２を積層した多層構造をなし、トレッド部２においてカーカス層６の外周であるタイヤ径方向外側に配置され、カーカス層６をタイヤ周方向に覆うものである。ベルト７１，７２は、タイヤ周方向に対して所定の角度（例えば、２０［°］〜３０［°］）で複数並設されたコード（図示せず）が、コートゴムで被覆されたものである。コードは、スチールまたは有機繊維（ポリエステルやレーヨンやナイロンなど）からなる。また、重なり合うベルト７１，７２は、互いのコードが交差するように配置されている。
【００２７】
ベルト補強層８は、ベルト層７の外周であるタイヤ径方向外側に配置されてベルト層７をタイヤ周方向に覆うものである。ベルト補強層８は、タイヤ周方向に略平行（±５［°］）でタイヤ幅方向に複数並設されたコード（図示せず）がコートゴムで被覆されたものである。コードは、スチールまたは有機繊維（ポリエステルやレーヨンやナイロンなど）からなる。図１で示すベルト補強層８は、ベルト層７のタイヤ幅方向端部を覆うように１層で配置されている。ベルト補強層８の構成は、上記に限らず、図には明示しないが、ベルト層７全体を覆うように配置された構成、または、例えば２層の補強層を有し、タイヤ径方向内側の補強層がベルト層７よりもタイヤ幅方向で大きく形成されてベルト層７全体を覆うように配置され、タイヤ径方向外側の補強層がベルト層７のタイヤ幅方向端部のみを覆うように配置されている構成、あるいは、例えば２層の補強層を有し、各補強層がベルト層７のタイヤ幅方向端部のみを覆うように配置されている構成であってもよい。すなわち、ベルト補強層８は、ベルト層７の少なくともタイヤ幅方向端部に重なり、当該ベルト層７のタイヤ幅方向端部付近を補強するものである。また、ベルト補強層８は、帯状（例えば幅１０［ｍｍ］）のストリップ材をタイヤ周方向に巻き付けて設けられる。
【００２８】
図２は、カーカス層のカーカスコードの拡大平面図であり、図３は、カーカス層のカーカスコードの展開平面図である。
【００２９】
上述した空気入りタイヤ１において、カーカス層６は、そのカーカスコード６１の所定範囲ＣＷ（図３参照）が４軸織物で構成されている。４軸織物は、図２に示すように、タイヤ周方向に対して実質的に０［°］（±５［°］を含む）の縦材６１ａと、タイヤ周方向に対して実質的に９０［°］（±５［°］を含む）の横材６１ｂと、タイヤ周方向に対して２０［°］以上３０［°］以下であって互いに交差する２つの斜材６１ｃ，６１ｄとが織られたものである。図２において、４軸織物は、縦材６１ａと横材６１ｂとがタイヤ周方向およびタイヤ幅方向で交互にタイヤ径方向で重なり、一方の斜材６１ｃが縦材６１ａおよび横材６１ｂのタイヤ径方向内側にて他方の斜材６１ｄに対してタイヤ径方向外側で重なり、かつ他方の斜材６１ｄが縦材６１ａのタイヤ径方向外側に重なるとともに横材６１ｂのタイヤ径方向内側に重なるように織られたものである。４軸織物は、図２に示す織り形状に限らず、縦材６１ａと横材６１ｂと斜材６１ｃ，６１ｄとが、それぞれ分離しないように織られていればよい。
【００３０】
また、カーカスコード６１において、４軸織物で構成される所定範囲ＣＷとは、タイヤ赤道面ＣＬからタイヤ幅方向両外側に、図１に示すトレッド展開幅ＴＤＷの１／２の９５［％］以上１２０［％］以下の範囲である。さらに、カーカスコード６１において、所定範囲ＣＷのタイヤ幅方向両外側は、横材６１ｂで構成されている。
【００３１】
トレッド展開幅ＴＤＷについて説明する。図１に示すように、トレッド部２の表面であるトレッド面２１のプロファイルは、タイヤ径方向外側に凸形状の複数の異なる曲率半径の円弧により形成されている。具体的に、トレッド面２１は、図１に示すように、中央部円弧２１ａと、ショルダー側円弧２１ｂと、ショルダー部円弧２１ｃと、サイド部円弧２１ｄとで構成されている。中央部円弧２１ａは、トレッド面２１におけるタイヤ幅方向の中央に位置しており、タイヤ赤道面ＣＬを含み、タイヤ赤道面ＣＬを中心としてタイヤ幅方向の両側に形成されている。ショルダー側円弧２１ｂは、中央部円弧２１ａのタイヤ幅方向外側に連続して形成されている。ショルダー部円弧２１ｃは、トレッド部２からショルダー部３に連なる部分でショルダー側円弧２１ｂのタイヤ幅方向外側に連続して形成されている。サイド部円弧２１ｄは、ショルダー部３からサイドウォール部４に連なる部分でショルダー部円弧２１ｃのタイヤ幅方向外側に連続して形成され、トレッド部２のタイヤ幅方向最外側（ショルダー部３）に位置している。
【００３２】
そして、空気入りタイヤ１を正規リムに組込んで正規内圧の５［％］を内圧充填した無負荷状態で、図１に示すタイヤ子午線方向の断面視にて、ショルダー側円弧２１ｂの仮想の延長線とサイド部円弧２１ｄの仮想の延長線との交点を基準点Ｐとする。この基準点Ｐを通過するショルダー部円弧２１ｃの法線間でのタイヤ幅方向の円弧長がトレッド展開幅ＴＤＷである。
【００３３】
ここで、正規リムとは、ＪＡＴＭＡで規定する「標準リム」、ＴＲＡで規定する「Design  Rim」、あるいは、ＥＴＲＴＯで規定する「Measuring  Rim」である。また、正規内圧とは、ＪＡＴＭＡで規定する「最高空気圧」、ＴＲＡで規定する「TIRE  LOAD  LIMITS  AT  VARIOUS  COLD  INFLATION  PRESSURES」に記載の最大値、あるいはＥＴＲＴＯで規定する「INFLATION  PRESSURES」である。
【００３４】
このように、本実施の形態の空気入りタイヤ１は、トレッド部２から両タイヤ幅方向端部を各ビード部５に延在させたカーカス層６を備え、タイヤ赤道面ＣＬからタイヤ幅方向両外側に、トレッド展開幅ＴＤＷの１／２の９５［％］以上１２０［％］以下の範囲ＣＷにおいて、カーカス層６のカーカスコード６１を、タイヤ周方向に対して実質的に０［°］の縦材６１ａと、タイヤ周方向に対して実質的に９０［°］の横材６１ｂと、タイヤ周方向に対して２０［°］以上３０［°］以下であって互いに交差する２つの斜材６１ｃ，６１ｄとが織られた４軸織物で構成し、かつ範囲ＣＷのタイヤ幅方向両外側を横材６１ｂで構成するものである。
【００３５】
この空気入りタイヤ１によれば、４軸織物で構成した範囲ＣＷは、ベルト層７を配置する範囲であり、当該範囲ＣＷの剛性を４軸織物により向上するため、ベルト層７のコードを少なく、またはベルト層７およびベルト層７を補強するベルト補強層８そのものを無くすことが可能になる。この結果、ベルト層７による剛性で得られる操縦安定性を維持するとともに、ベルト層７が起因するタイヤ重量を低減して転がり抵抗を改善することが可能になる。
【００３６】
なお、カーカスコード６１は、横材６１ｂだけで構成されている部分と、４軸織物で構成されている部分とを、横材６１ｂを連続して用いてタイヤ幅方向で一連の構成とすることが、カーカス層６を製造し易くし、かつタイヤの骨格を保つうえで好ましいが、横材６１ｂだけで構成されている部分と、４軸織物で構成されている部分とを分割して構成してもよい。この場合、４軸織物の部分と、横材６１ｂだけの部分とを５［ｍｍ］以上１０［ｍｍ］以下の範囲で相互に重なるように配置し、タイヤの骨格を保つようにする。
【００３７】
また、本実施の形態の空気入りタイヤ１は、斜材６１ｃ，６１ｄを、弾性率１００［ＧＰａ］以上の繊維で形成することが好ましい。
【００３８】
ここで、弾性率は、ＪＩＳ  Ｌ−１０１７に準拠して、コード径の測定と引張試験を行って応力−ひずみ曲線を描き、１０［Ｎ］と６７［Ｎ］の点を結び、その直線の傾きを求めることで得ることができる。この測定は、コード２０本について行い、その平均値をコードの弾性率とする。
【００３９】
この空気入りタイヤ１によれば、斜材６１ｃ，６１ｄを、弾性率１００［ＧＰａ］以上の比較的高弾性率の繊維で形成することで、軽量で剛性の確保が可能になり、剛性の低下を抑えて操縦安定性を維持するとともに、タイヤ重量を低減して転がり抵抗を改善する効果を顕著に得ることが可能になる。
【００４０】
また、本実施の形態の空気入りタイヤ１は、縦材６１ａを、弾性率１［ＧＰａ］以上２０［ＧＰａ］以下の繊維で形成することが好ましい。
【００４１】
この空気入りタイヤ１によれば、縦材６１ａを、弾性率１［ＧＰａ］以上２０［ＧＰａ］以下の繊維で形成することで、カーカス層６のタイヤ周方向での剛性を確保しつつカーカス層６のタイヤ周方向への変形を許容するため、耐久性および乗り心地性を両立することが可能になる。
【００４２】
また、本実施の形態の空気入りタイヤ１は、縦材６１ａを、芳香族ポリアミド（アラミド）繊維または脂肪族ポリアミド（ナイロン）繊維で形成し、横材６１ｂを、ポリエチレンテレフタレート（ＰＥＴ）繊維やポリエチレンナフタレート（ＰＥＮ）繊維などのポリエステル繊維で形成し、各斜材６１ｃ，６１ｄを、ポリパラフェニレンベンゾオキサゾール（ＰＢＯ）繊維、ポリケトン（ＰＫ）繊維、レーヨンなどのセルロール繊維または炭素繊維で形成することが好ましい。
【００４３】
この空気入りタイヤ１によれば、縦材６１ａ、横材６１ｂ、各斜材６１ｃ，６１ｄを上記繊維で構成することで、タイヤ重量を低減して転がり抵抗を改善する効果をより顕著に得ることが可能になる。
【実施例】
【００４４】
本実施例では、条件が異なる複数種類の空気入りタイヤについて、タイヤ性能（ベルト層使用量、操縦安定性、タイヤ重量、転がり抵抗）に関する性能試験が行われた（図４参照）。
【００４５】
この性能試験では、タイヤサイズ２０５／６５Ｒ１５の空気入りタイヤを試験タイヤとした。
【００４６】
ベルト層使用量の評価方法は、２つのベルトとしてスチールコードおよびコートゴムの複合体を使用し、各試験タイヤについてスチールコードの５０［ｍｍ］あたりの打ち込み本数を変えた。そして、従来例を基準（１００）とした指数で示し、この指数が小さいほどベルト層使用量が少ないことを示している。
【００４７】
操縦安定性の評価方法は、上記試験タイヤを正規リムに組み付け、正規内圧を充填し、試験車両（国産フロントエンジン前輪駆動セダン）に装着して、乾燥試験コースを速度６０［ｋｍ／ｈ］から１２０［ｋｍ／ｈ］で走行し、直進時における直進安定性ならびにレーンチェンジ時およびコーナリング時における旋回安定性、剛性感、操舵性の項目について、熟練のテストドライバー２名による官能評価によって行う。この官能評価は、各項目を１点〜１０点の評点をつけ、テストドライバー２名の評点の平均を求め、これにより従来例を基準（１００）とした指数で示し、この指数が大きいほど操縦安定性が優れていることを示している。
【００４８】
タイヤ重量の評価方法は、上記試験タイヤの重量を測定し、この測定結果に基づいて、従来例を基準（１００）とした指数で示し、この指数が大きいほどタイヤ重量が軽く優れていることを示している。
【００４９】
転がり抵抗の評価方法は、上記試験タイヤを、正規リムに組み付け、正規内圧を充填し、荷重（５．２６［ｋＮ］）を加えて、スチールドラム式転がり抵抗試験機にて、速度８０［ｋｍ／ｈ］で３０［分］の予備走行後の転がり抵抗が測定される。そして、この測定結果に基づいて、従来例を基準（１００）とした指数で示し、この指数が大きいほど転がり抵抗が低く優れていることを示している。
【００５０】
図４において、従来例の空気入りタイヤは、カーカスコードを横材のみで構成している。また、比較例１の空気入りタイヤは、カーカスコード全体を横材および各斜材の３軸織物で構成している。また、比較例２の空気入りタイヤは、カーカスコード全体を横材、縦材および各斜材の４軸織物で構成している。一方、実施例１〜実施例９の空気入りタイヤは、カーカスコードの所定範囲（タイヤ赤道面からタイヤ幅方向両外側にトレッド展開幅の１／２の１０５［％］の範囲）を、横材、縦材および各斜材の４軸織物で構成し、かつ当該範囲のタイヤ幅方向両外側を横材で構成している。実施例５〜実施例９の空気入りタイヤは、斜材の弾性率を好ましい範囲とした。実施例２、実施例３、実施例６〜実施例９の空気入りタイヤは、縦材の弾性率を好ましい範囲とした。
【００５１】
なお、従来例、比較例、および各実施例において、横材、縦材および各斜材の５０［ｍｍ］あたりの打ち込み本数は５０本としている。また、横材、縦材および各斜材の繊維の重さは、１６７０デシテックス［Ｔ／２］としている。
【００５２】
図４の試験結果に示すように、実施例１〜実施例９の空気入りタイヤは、それぞれベルト層使用量、操縦安定性、タイヤ重量、転がり抵抗が改善されていることが分かる。
【符号の説明】
【００５３】
１  空気入りタイヤ
２  トレッド部
６  カーカス層
７  ベルト層
６１  カーカスコード
６１ａ  縦材
６１ｂ  横材
６１ｃ，６１ｄ  斜材
ＣＬ  タイヤ赤道面（タイヤ赤道線）
ＣＷ  所定範囲
ＴＤＷ  トレッド展開幅
【図１】
2013212824.tif 000003
【図２】
2013212824.tif 000004
【図３】
2013212824.tif 000005
【図４】
2013212824.tif 000006
【手続補正書】
【提出日】平成25年5月20日(2013.5.20)
【手続補正１】
【補正対象書類名】特許請求の範囲
【補正対象項目名】請求項４
【補正方法】変更
【補正の内容】
【請求項４】
前記縦材を、芳香族ポリアミド繊維または脂肪族ポリアミド繊維で形成し、前記横材を、ポリエステル繊維で形成し、各前記斜材を、ポリパラフェニレンベンゾオキサゾール繊維、ポリケトン繊維、セルロース繊維または炭素繊維で形成することを特徴とする請求項１〜３のいずれか一つに記載の空気入りタイヤ。
【手続補正２】
【補正対象書類名】明細書
【補正対象項目名】００１６
【補正方法】変更
【補正の内容】
【００１６】
また、本発明の空気入りタイヤは、前記縦材を、芳香族ポリアミド繊維または脂肪族ポリアミド繊維で形成し、前記横材を、ポリエステル繊維で形成し、各前記斜材を、ポリパラフェニレンベンゾオキサゾール繊維、ポリケトン繊維、セルロース繊維または炭素繊維で形成することを特徴とする。
【手続補正３】
【補正対象書類名】明細書
【補正対象項目名】００４２
【補正方法】変更
【補正の内容】
【００４２】
また、本実施の形態の空気入りタイヤ１は、縦材６１ａを、芳香族ポリアミド（アラミド）繊維または脂肪族ポリアミド（ナイロン）繊維で形成し、横材６１ｂを、ポリエチレンテレフタレート（ＰＥＴ）繊維やポリエチレンナフタレート（ＰＥＮ）繊維などのポリエステル繊維で形成し、各斜材６１ｃ，６１ｄを、ポリパラフェニレンベンゾオキサゾール（ＰＢＯ）繊維、ポリケトン（ＰＫ）繊維、レーヨンなどのセルロース繊維または炭素繊維で形成することが好ましい。